(57)【要約】【課題】電熱線をセラミック材で固着し直接外部に露出させないようにすることにより、外部からの電熱線の破壊を防止して使用者の使用上の不安感を無くし、電熱線の寿命を長くさせ、製品の信頼性及び安全性を向上させ、また人体に有益な遠赤外線の放射量を増大させた発熱部を有する電気ヒーターを提供する。【解決手段】発熱部を構成するセラミック材のボビン（５１）の外周面に巻き取られたコイル状の電熱線（５２）の隙間とその内部空間にセラミック材（５３）を充填又は塗布した電気ヒーターである。【選択図】  図２
2005036986.tif 000002
【特許請求の範囲】
【請求項１】
コイル状の電熱線（５２）をボビン（５１）の外周面に巻き付けてなる電気ヒーターにおいて、
前記ボビン（５１）の外周面に巻き付けられたコイル状の電熱線（５２）の中空部（５４）とコイル状の巻回部ｗの間の隙間とにセラミック材（５３）が充填、塗布されてなる発熱部を有することを特徴とする電気ヒーター。
【請求項２】
前記セラミック材（５３）が発熱部を形成する電熱線（５２）の中空部（５４）の全部又は一部に充填されていることを特徴とする請求項１記載の電気ヒーター。
【請求項３】
前記セラミック材（５３）が発熱部を形成する電熱線（５２）の隙間に少くとも塗布されていることを特徴とする請求項１記載の電気ヒーター。
【発明の詳細な説明】
【０００１】
【発明の属する技術分野】
本発明は電気ヒーターに関するもので、さらに詳しくは電熱線から発生する熱を反射板で反射して暖房を行う際に、安全性を向上させ事故の発生を防止し、発熱線の寿命を延し、遠赤外線の放熱効果を向上させるようにした発熱部を有する電気ヒーターに関するものである。
【０００２】
【従来の技術】
反射板を用いる従来の電気ヒーターは、図示しないが基部の上面から垂直に立設される支柱の上端のヘッドに反射板を取りつけ、この反射板の前面中央にはセラミックにて成形されたボビンの外周面上に電熱線を螺旋状に巻き付けてなる発熱部を着設した構造となっている。
【０００３】
【発明が解決しようとする課題】
前記のように電気ヒーターにおいて発熱部の電熱線をそのまま露出させた場合、電熱線が湿気にさらされ腐食して寿命が短くなったり、長期間の使用あるいは取扱の不注意などにより電熱線が切断され垂れて反射板に接触して短絡したり、電熱線の一部が加熱された状態で断線して下部に落下して火災を引き起こす恐れがあった。このため出願人は韓国実用新案登録出願第９９−２７８２９号（考案の名称：電気ヒーターの発熱部）で、発熱部のボビン５１と電熱線５２の周囲にセラミック被覆層が施されたものを提案した。
【０００４】
しかし、このような電気ヒーターにおいてその発熱部は、コイル状の電熱線の巻回部の間（隙間）にセラミック材料を固着させることが難しく、セラミック被覆層が外部の衝撃により破損された場合、加熱された電熱線がセラミック被覆層とともに離脱して火災発生の原因となる恐れがあるなどの問題点があった。
【０００５】
本発明は前記のような点に鑑みてなされたもので、その目的は火災などの事故の発生はもちろんのこと、電熱線の寿命短縮が防止される発熱部を有する電気ヒーターを提供することにある。
【０００６】
【課題を解決するための手段】
本発明の目的は、ボビンの外周面に所定の隙間を持つように巻き付けられたコイル状の電熱線の巻回部の周囲にセラミック材を塗布するとともに、電熱線の内側中空部にセラミック材を充填してなる発熱部を有する電気ヒーターを提供することにより達成される。
【０００７】
【発明の実施の形態】
以下、本発明の電気ヒーターをその実施形態により添付図面に基づいて詳細に説明する。
【０００８】
図１は本発明の電気ヒーターの一例を示すもので、基部１０と、該基部１０の上面に高さの調節できるように２段に立設される支柱２０と、該支柱２０の上端に上下・左右の方向調整ができるようにヘッドに着設される反射板４０と、該反射板の前面中央に設けられる発熱部５０と、前記反射板４０の前面に設けられる安全網６０とから構成される。
【０００９】
本発明の一つの実施形態の電気ヒーターにおいて発熱部は、図２及び図３に示すように、セラミックからなる円錐状のボビン５１と、前記ボビンの外周面、又は外周面に螺旋状に凹設された断面略半円形の溝Ｍに巻き付けられたコイル状の電熱線５２とから構成されたものにおいて、図４に示す如く電熱線５２のコイル状の巻回部ｗの間の隙間ｇと電熱線５２の中空部５４にセラミック材５３が塗布、充填されたものを有する。
【００１０】
図２の部分拡大図の左側Ｌは電熱線５２の巻回部ｗの内側、つまり中空部５４にセラミック材５３が全て充填されているものを、右側Ｒは電熱線５２の巻回部ｗ（点線で示す）の隙間ｇ及び中空部５４の全体にセラミック材５３が充填されたものを示す。尚、電熱線５２の巻回部ｗの外側表面にはセラミック材５３を必ずしも塗布させる必要はなく、外側表面の部分は本発明における電気ヒーターの必須構成要素ではない。
【００１１】
また、図３において、電熱線５２の巻回部ｗ間の白色部分はセラミック材５３の塗布層を示し、実線部又は点線部は電熱線の巻回部ｗを露出させることもできることを示す。
【００１２】
図５は本発明の他の実施形態を示すもので、この発熱部５０は、部分拡大図に示される如くボビン５１の外周面に形成された断面略半円形の溝Ｍにコイル状の電熱線５２を巻き付けた状態で、この電熱線５２の中空部５４の一部と電熱線５２の巻回部ｗの隙間ｇとにセラミック材５３を充填、塗布してなるものである。
【００１３】
図５においても、電熱線５２の巻回部ｗの外側表面にセラミック材５３を必ずしも塗布させなくとも良い。
【００１４】
このようなセラミック材５３は、遠赤外線を放出する原料として少なくとも１０％〜４０％、好ましくは２０％〜３０％の脈斑石及び少なくとも４０％〜１０％、好ましくは３０％〜２０％の角閃石からなる混合パウダー９０％〜７０％と、粘着力に優れた接着の為の粘土パウダー５％〜３０％、好ましくは１０％〜２０％と、焼成後に閉気孔の形成に役立つ焼結助剤としての滑石（タルク）パウダー１％〜３０％、好ましくは３％〜２０％とを適正の割合で混合して７０％〜６０％の混合パウダーとし、これに３０％〜４０％の水を混合して得たもので、コイル状の電熱線の巻回部ｗの露出部にセラミック材５３を塗布し、巻回部ｗの間の隙間ｇ、そして電熱線の中空部５４の一部又は全部にわたってセラミック材５３が充填されるようにし、６０〜９０℃で１５〜３０時間乾燥させた後、８００〜１，０００℃でおよそ１５〜３０時間焼成させ、常温で徐々に冷却させる過程により作られる。
尚、前記脈斑石又は角閃石からなる混合パウダーに代えて、脈斑石又は角閃石のいずれか一つを９０％〜７０％用いてもよい。
【００１５】
すなわち、電熱線５２の巻回部ｗの周囲にセラミック材５３をブラシなどにて塗布する過程で、コイル状の電熱線５２の巻回部ｗ間の隙間ｇと中空部５４の全部又は一部にセラミック材５３が流入され充填される。
【００１６】
もちろん、前記セラミック材を得る方法と充填する過程はその一例を挙げたもので、これに限定されるものではない。
【００１７】
また、本発明の実施形態による電気ヒーターは、基部、支柱、ヘッド、反射板、安全網の一部がないか、他のものに代わった電気ヒーターにも発熱部を適用できるもので、電熱線の中空部の全部又は一部と電熱線の巻回部間の隙間とをセラミック材で充填、塗布するものであれば他のどんなものであっても本発明の範囲に属する。
【００１８】
【発明の効果】
以上説明したように、本発明の発熱部を有する電気ヒーターによると、電熱線の中空部の全部又は一部に充填或いは巻回部の隙間あるいは巻回部の周囲に塗布されたセラミック材により電熱線のコイルの形状が埋もれて円錐状に一体に形成させることができ、またコイルの外面を自然に現れるようにさせることもできるので、これらいずれの場合であっても子供が好奇心で箸などを用いて電熱線に接触しても破損させることが困難なので、感電事故の危険はもちろん、火傷又は火災などの安全上の事故発生が未然に防止される効果も得られる。
【００１９】
特に、コイル状の電熱線の中空部に全体的に又は部分的に充填されたセラミック材及び電熱線の巻回部の隙間あるいは周囲に塗布されたセラミック材とともに、乾燥、焼成過程により一体化されるので、コイル状の電熱線の巻回部間の電気的接触が防止され、また電熱線の短絡による断線を防止させることができる。これにより寿命短縮が防止できるとともに、外部からの衝撃により電熱線の断線が発生しても一部に限定されるため、電熱線が垂れることなく、反射板に接触して短絡する恐れがなくなり、製品の信頼性及び安全性が向上される。また充填、塗布されたセラミック材により人体に有益な遠赤外線の放射量が増大されて健康の維持増進に役立つ利点もある。
【図面の簡単な説明】
【図１】本発明が適用された電気ヒーターの斜視図である。
【図２】本発明の一つの実施形態が適用された電気ヒーターの部分抜粋断面図である。
【図３】図２の発熱部の抜粋側面図である。
【図４】図２の発熱部の抜粋断面図である。
【図５】本発明の電気ヒーターに応用される他の実施形態による発熱部の部分断面図である。
【符号の説明】
１０  基部
２０  支柱
３０  ヘッド
４０  反射板
５０  発熱部
５１  ボビン
５２  電熱線
５３  セラミック材
【図１】
2005036986.tif 000003
【図２】
2005036986.tif 000004
【図３】
2005036986.tif 000005
【図４】
2005036986.tif 000006
【図５】
2005036986.tif 000007